(57)【特許請求の範囲】
【請求項１】
マルチ加入者識別モジュール(SIM)ワイヤレス通信デバイスであって、
音響再生デバイス上での再生のために復号されたオーディオ信号を後処理するように構成された第1の後処理ユニットと、符号化のためにオーディオトランスデューサからのオーディオ信号を前処理するように構成された第1の前処理ユニットとを有する第1の通信ユニットと、
受信された信号を復号して第2の復号されたオーディオ信号を生成するとともに、オーディオトランデューサから受信されたオーディオ信号を前処理して第2の前処理されたオーディオ信号を生成する第2の通信ユニットと、
記録ユニットと、
前記第1の通信ユニットに音響再生デバイスへの第1のオーディオ出力信号の出力を中断させ、第1の復号されたオーディオ信号を前記記録ユニットに伝えさせ、
前記第2の通信ユニットに前記音響再生デバイスへ、前記第2の復号されたオーディオ信号から導出された第2のオーディオ出力信号を出力させる
ように構成された制御ユニットと
を含み、
前記第1の通信ユニットが、
前記第1の後処理ユニットの入力に配置され、前記第1の復号されたオーディオ信号を前記記録ユニットへ伝えるように構成された、第1の記録タップと、
前記第1の前処理ユニットの出力に配置され、前記第1の前処理ユニットによって出力される第1の前処理されたオーディオ信号を前記記録ユニットへ伝えるように構成された、第2の記録タップと
をさらに含み、
前記制御ユニットが、前記第1の後処理ユニットに前記第1のオーディオ出力信号の出力を中断させ、前記記録ユニットに前記第1の記録タップを介して前記第1の復号されたオーディオ信号を記録させるように構成され、
前記制御ユニットが、前記第1の前処理ユニットに第1のオーディオ入力信号を中断させて、前記第1のオーディオ入力信号の記録を妨げるように構成され、
前記制御ユニットが、前記記録ユニットに前記第1の復号されたオーディオ信号を第1のデータファイルに記録させ、前記第2の復号されたオーディオ信号および前記第2の前処理されたオーディオ信号を第2のデータファイルに記録させるようにさらに構成される、マルチSIMワイヤレス通信デバイス。
【請求項２】
前記第1の通信ユニットが、第1のSIMおよび第1の加入のうちの少なくとも1つと関連付けられ、
前記第2の通信ユニットが、前記第1のSIMとは異なる第2のSIMおよび前記第1の加入とは異なる第2の加入のうちの少なくとも1つと関連付けられる、
請求項1に記載のマルチSIMワイヤレス通信デバイス。
【請求項３】
前記第2の通信ユニットが、
第2の後処理ユニットの入力に配置され、前記第2の復号されたオーディオ信号を前記記録ユニットへ伝えるように構成された、第3の記録タップと、
第2の前処理ユニットの出力に配置され、前記第2の前処理ユニットによって出力される第2の前処理されたオーディオ信号を前記記録ユニットへ伝えるように構成された、第4の記録タップと
を含む、請求項1に記載のマルチSIMワイヤレス通信デバイス。
【請求項４】
前記制御ユニットが、前記第1の後処理ユニットに前記第1のオーディオ出力信号の出力を中断させ、前記記録ユニットに前記第1の記録タップを介して前記第1の復号されたオーディオ信号を記録させるように構成され、
前記制御ユニットが、前記第1の前処理ユニットに第1のオーディオ入力信号を中断させて、前記第1のオーディオ入力信号の記録を妨げるように構成され、
前記制御ユニットが、前記記録ユニットに前記第1の記録タップを介して前記第1の復号されたオーディオ信号を記録させ、前記第3の記録タップを介して前記第2の復号されたオーディオ信号を記録させ、前記第4の記録タップを介して前記第2の前処理ユニットからの第2の前処理されたオーディオ信号を記録させるように構成される、
請求項3に記載のマルチSIMワイヤレス通信デバイス。
【請求項５】
前記制御ユニットは、前記記録ユニットに、前記第1の復号されたオーディオ信号を第1のデータファイルに記録させるとともに、前記第2の復号されたオーディオ信号および前記第2の前処理されたオーディオ信号を第2のデータファイルに記録させる、請求項4に記載のマルチSIMワイヤレス通信デバイス。
【請求項６】
前記音響再生デバイスが、スピーカを含む、請求項1に記載のマルチSIMワイヤレス通信デバイス。
【発明の詳細な説明】
【技術分野】
【０００１】
本発明は、デュアルＳＩＭデュアルアクティブワイヤレス通信デバイスのための強化された通話記録に関する。
【背景技術】
【０００２】
通話記録は、たとえば、会議通話を記録して、いったん通話が終了すれば討議の議題を再び取り上げるための、モバイルフォンユーザのための一般的な機能である。しかしながら、従来の通話記録アプリケーションは、デュアル加入者識別モジュール(SIM)、デュアルアクティブ(DSDA)ワイヤレス通信デバイスには有用ではない。DSDAワイヤレス通信デバイスは、2つの同時にアクティブな音声通話を行う能力を持っている。しかしながら既存のアプリケーションは、両方の加入上の会話を同時に記録する能力を持っていない。既存のアプリケーションは、アクティブな会話のオーディオのみを記録する。
【０００３】
結果として、現在のDSDAワイヤレス通信デバイス上で通話記録オプションが実行されるとき、ユーザは両方の加入間で切り替えるので、会話は、両方の加入からの音声と絡み合い、エンドユーザが記録されたオーディオから所望の会話をフィルタリングすることを困難にしている。さらに、一方の通話のオーディオ会話は、他方が記録される間、失われることになる。
【０００４】
従来技術の例では、通話記録が有効にされると、ユーザが、将来使うために記録されるように、加入1(Sub1)上で会議通話にダイヤルする。両方の加入がDSDAワイヤレス通信デバイス上でアクティブであるので、ユーザは、加入2(Sub2)上で、応答しなければならない通話を受信することがある。DSDAワイヤレス通信デバイスのための現在の通話記録アプリケーションの制約の結果として、ユーザがSub2上で通話に応答する場合、Sub1上の会議通話は、保留(local hold)にされることになり、ユーザがSub2上の通話を行っている間、Sub1上の会議通話は、たとえ通話がDSDAワイヤレス通信デバイスの無線レイヤでアクティブであっても記録されない。
【発明の概要】
【課題を解決するための手段】
【０００５】
DSDAワイヤレス通信デバイスのために通話を記録するためのシステムおよび方法が提供される。
【０００６】
様々な実施形態により、マルチ加入者識別モジュール(SIM)ワイヤレス通信デバイスが提供される。マルチ加入者識別モジュール(SIM)ワイヤレス通信デバイスは、第1の通信ユニットと、第2の通信ユニットと、記録ユニットと、制御ユニットとを含むことができる。制御ユニットは、第1の通信ユニットに、音響再生デバイス信号への第1のオーディオ出力信号の出力を中断させ、第1の復号されたオーディオ信号を記録ユニットに伝えさせるように構成されてよい。制御ユニットはまた、第2の通信ユニットに音響再生デバイスへ第2のオーディオ出力信号を出力させるように構成されてもよい。
【０００７】
様々な実施形態により、マルチ加入者識別モジュール(SIM)ワイヤレス通信デバイス上での通話記録のための装置が提供される。この装置は、記録ユニットと、制御ユニットとを含むことができる。制御ユニットは、音響再生デバイスへの第1のオーディオ出力信号の出力を中断し、第1の復号されたオーディオ信号を記録ユニットへ伝えるように構成されてよい。制御ユニットはまた、第2のオーディオ出力信号を音響再生デバイスへ出力させるように構成されてもよい。
【０００８】
様々な実施形態により、マルチ加入者識別モジュール(SIM)ワイヤレス通信デバイス上での通話記録のための装置が提供される。この装置は、オーディオ信号を記録するための手段と、音響を再生するための手段への第1のオーディオ出力信号の出力を中断し、オーディオ信号を記録するための上記手段へ第1の復号されたオーディオ信号を伝えるように構成された、制御するための手段とを含むことができる。制御するための手段はまた、音響を再生するための手段へ第2のオーディオ出力信号を出力させるように構成されてもよい。
【０００９】
様々な実施形態により、マルチ加入者識別モジュール(SIM)ワイヤレス通信デバイス上での通話記録のための方法が提供される。この方法は、第1の加入上の第1の通話のために通話記録をアクティブにするステップと、第1の通話を保留にするステップと、第2の加入上の第2の通話を接続するステップとを含むことができる。第1の通話は、第2の通話のオーディオ信号が第1の通話の記録と混じらないように、ミュートされてよい。
【００１０】
本発明の概念の他の特徴および利点は、本発明の概念の態様を例として説明する以下の記載から明らかとなるであろう。
【００１１】
本発明の概念の態様および特徴は、添付の図面を参照しながら例示的な実施形態を述べることによってさらに明らかとなるであろう。
【図面の簡単な説明】
【００１２】
【図１】様々な実施形態による、DSDAワイヤレス通信デバイスを示すブロック図である。
【図２】様々な実施形態による、第1および第2の通信ユニットを示すブロック図である。
【図３】従来のDSDAモバイルデバイスでの通話ミュートおよび記録を示す図である。
【図４Ａ】様々な実施形態による、DSDAモバイルデバイスでの通話ミュートおよび記録を示す図である。
【図４Ｂ】様々な実施形態による、DSDAモバイルデバイスでの通話ミュートおよび記録を実施するために使用されるスイッチを示す図である。
【図５】様々な実施形態による、通話を記録するための方法を示すフローチャートである。
【発明を実施するための形態】
【００１３】
いくつかの実施形態について説明するが、これらの実施形態は、単に例として提示するものであり、保護の範囲を制限するものではない。本明細書で説明する装置、方法、およびシステムは、様々な他の方法で具現化される場合がある。さらに、本明細書で説明する例示的な方法およびシステムの形態における様々な省略、置換、および変更が、保護の範囲から逸脱することなく行われる場合がある。
【００１４】
様々な実施形態は、DSDAモバイルデバイスのための通話を記録するための装置および方法を提供する。本発明の概念は、本発明の概念の範囲から逸脱することなく、複数の無線を有するマルチSIMモバイルデバイスに適用することができることは当業者には諒解されよう。
【００１５】
図1は、様々な実施形態による、DSDAワイヤレス通信デバイス100を示すブロック図である。図1に示すように、ワイヤレス通信デバイス100は、制御ユニット110と、第1の通信ユニット120と、第2の通信ユニット125と、第1のアンテナ130と、第2のアンテナ135と、第1のSIM140と、第2のSIM150と、ユーザインターフェース170と、記憶装置180と、記録ユニット185とを含むことができる。
【００１６】
様々な実施形態におけるSIM(たとえば、140、150)は、SIMおよび/またはUSIMアプリケーションで構成され、GSM(登録商標)および/またはUMTSネットワークへのアクセスを可能にするユニバーサル集積回路カード(UICC:Universal Integrated Circuit Card)であってよい。UICCは、電話帳および他のアプリケーション用の記憶装置を提供することもできる。代替的に、CDMAネットワーク内で、SIMは、カード上のUICCリムーバブルユーザ識別情報モジュール(R-UIM:removable user identity module)またはCDMA加入者識別モジュール(CSIM:CDMA subscriber identity module)であってよい。SIMカードは、CPU、ROM、RAM、EEPROM、およびI/O回路を有してもよい。集積回路カード識別情報(ICCID:Integrated Circuit Card Identity)SIMシリアル番号は、識別のためにSIMカード上に印刷されてもよい。しかしながら、SIMは、MSMA通信デバイスのメモリの一部の中で実装可能であり、したがって、別個のもしくは取外し可能な回路、チップ、またはカードでなくてよい。
【００１７】
様々な実施形態において使われるSIMは、ユーザアカウント情報、IMSI、SIMアプリケーションツールキット(SAT)コマンドのセット、および他のネットワークプロビジョニング情報を記憶し、かつユーザの連絡先の電話帳データベース用の記憶空間を提供することができる。ネットワークプロビジョニング情報の一部として、SIMは、SIMカードネットワークオペレータプロバイダを示すためのホーム識別子(たとえば、システム識別番号(SID)/ネットワーク識別番号(NID)のペア、ホームPLMN(HPLMN)コードなど)をさらに記憶することができる。
【００１８】
ワイヤレス通信デバイス100は、1つまたは複数のワイヤレスネットワークとの通信が可能である、たとえば、限定はしないが、携帯電話、スマートフォン、タブレット、コンピュータなどであってよい。ワイヤレス通信デバイス100は、1つまたは複数のトランシーバ(通信ユニット)を含む場合があり、本発明の概念の範囲から逸脱することなく1つまたは複数のアンテナとインターフェースする場合があることは、当業者には諒解されよう。
【００１９】
第1のSIM140は、第1の通信ユニット120を、第1の通信ネットワーク190上の第1の加入(Sub1)192と関連付けることができ、第2のSIM150は、第2の通信ユニット125を、第2の通信ネットワーク195上の第2の加入(Sub2)197と関連付けることができる。便宜上、本開示全体にわたって、Sub1が第1の通信ユニット120と関連付けられ、Sub2が第2の通信ユニット125と関連付けられる。どちらの加入も、本発明の概念の範囲から逸脱することなく、どちらの通信ユニットとも関連付けられてよいことは当業者には諒解されよう。
【００２０】
記録ユニット185は、記録ユニット185が第1の通信ユニット120から、第2の通信ユニット125から、または同時に第1の通信ユニット120と第2の通信ユニット125とから受信するオーディオ信号を記録することができる。
【００２１】
第1の通信ネットワーク190および第2の通信ネットワーク195は、同じもしくは異なるサービスプロバイダによって運営される場合があり、および/または同じもしくは異なる通信技術、たとえば、限定はしないが、CDMA、WCDMA(登録商標)、TDMA、GSM(登録商標)などをサポートする場合がある。
【００２２】
ユーザインターフェースデバイス170は、入力デバイス172、たとえば、限定はしないが、キーボード、タッチパネル、または他のヒューマンインターフェースデバイスと、ディスプレイデバイス174、たとえば、限定はしないが、液晶ディスプレイ(LCD)、または他のビデオディスプレイとを含むことができる。他の入力デバイスおよびディスプレイデバイスが、本発明の概念の範囲から逸脱することなく、使用される場合があることは当業者には諒解されよう。
【００２３】
制御ユニット110は、限定はしないが、第1および第2の通信ユニット120、125、ユーザインターフェースデバイス170、ならびに記憶装置180の制御を含む、ワイヤレス通信デバイス100の全体的な動作を制御することができる。制御ユニット110は、プログラム可能デバイス、たとえば、限定はしないが、マイクロプロセッサまたはマイクロコントローラであってよい。
【００２４】
記憶装置180は、制御ユニット110によって実行される、ワイヤレス通信デバイス100の動作に必要なアプリケーションプログラム、ならびにアプリケーションデータおよびユーザデータを記憶してよい。
【００２５】
図2は、様々な実施形態による、第1および第2の通信ユニット(たとえば、図1中の120、125)を示すブロック図である。
【００２６】
図1および図2を参照すると、第1の通信ユニット120は、第1のアンテナ130および第1のモデム210で信号を送受信する第1のトランシーバ200を含むことができる。第1のモデム210は、第1のトランシーバ200による送信のためにオーディオ信号を符号化する第1のエンコーダ212と、第1のトランシーバ200によって受信されるオーディオ信号を復号する第1のデコーダ214とを含むことができる。第2の通信ユニット125は、第2のアンテナ135および第2のモデム260で信号を送受信する第2のトランシーバ250を含むことができる。第2のモデム260は、第2のトランシーバ250による送信のためにオーディオ信号を符号化する第2のエンコーダ262と、第2のトランシーバ250によって受信されるオーディオ信号を復号する第2のデコーダ264とを含むことができる。
【００２７】
第1の通信ユニット120は、ワイヤレス通信デバイス100に含まれる場合がある音響再生デバイス160、たとえばスピーカへの第1のオーディオ出力信号217を生成するために第1のデコーダ214からの第1の復号されたオーディオ信号215を後処理する第1の後処理ユニット216と、ワイヤレス通信デバイス100に含まれる場合があるオーディオ入力トランスデューサ165、たとえばマイクロフォンから第1のオーディオ入力信号219を受信し、第1のエンコーダ212によって符号化されるように第1の前処理されたオーディオ信号213を生成するために第1のオーディオ入力信号219を前処理する第1の前処理ユニット218とをさらに含むことができる。音響再生デバイス、スピーカ、オーディオ入力トランスデューサ、および/またはマイクロフォンは、たとえば、限定はしないが、ワイヤレスヘッドセット、ワイヤードヘッドセットなど、補助デバイスの一部である場合があることは、当業者には諒解されよう。
【００２８】
第2の通信ユニット125は、音響再生デバイス160への第2のオーディオ出力信号267を生成するために第2のデコーダ264からの第2の復号されたオーディオ信号265を後処理する第2の後処理ユニット266と、オーディオ入力トランスデューサ165から第2のオーディオ入力信号269を受信し、第2のエンコーダ262によって符号化されるように第2の前処理されたオーディオ信号263を生成するために第2のオーディオ入力信号269を前処理する第2の前処理ユニット268とをさらに含むことができる。
【００２９】
第1の後処理ユニット216および第2の後処理ユニット266は、一般的にオーディオ出力トランスデューサ160に接続されてよい。第1の前処理ユニット218および第2の前処理ユニット268は、一般的にオーディオ入力トランスデューサ165に接続されてよい。
【００３０】
上記で説明したようないくつかの実施形態は、各SIMに対して、別個のデコーダ、エンコーダ、プリプロセッサ、およびポストプリプロセッサ(post preprocessor)構成要素を組み込むことができ、他の実施形態では、デコーダ、エンコーダ、プリプロセッサ、およびポストプリプロセッサ構成要素は両方のSIMについて同じであってよいことは、当業者には諒解されよう。
【００３１】
図3は、従来のDSDAワイヤレス通信デバイス300での通話ミュートおよび記録を示す図である。図3を参照すると、通話記録タップ、すなわち、オーディオ信号が記録のためにアクセスされる、信号チェーン中のポイントが、第1の通信ユニット320および第2の通信ユニット325に設けられる。第1の通信ユニット320については、着信通話記録タップ302が、Sub1 192上の通話の第1の復号されたオーディオ信号215を記録するために第1のデコーダ314と第1の後処理ユニット316との間に位置し、発信通話記録タップ304が、Sub1 192上の通話の第1の前処理されたオーディオ信号213を記録するために第1の前処理ユニット318と第1のエンコーダ312との間に位置している。第2の通信ユニット325のための着信通話記録タップ308および発信通話記録タップ306が、Sub2 197上の通話の第2の復号されたオーディオ信号265および第2の前処理されたオーディオ信号263を記録するために第2の通信ユニット325の信号チェーンに同様に位置している。
【００３２】
Sub2 197上の通話を接続するためにSub1 192上の通話が保留にされるとき、第1のエンコーダ312および第1のデコーダ314における送信/受信ストリームでSub1 192に通話ミュートが適用される。Sub1 192上の通話の第1の復号されたオーディオ信号215のための記録タップ302は、第1のデコーダ314と第1の後処理ユニット316との間に位置しているので、Sub1 192上の通話が保留にされるとき、第1のデコーダ314で通話をミュートすると、Sub1 192上の通話の第1の復号されたオーディオ信号215の記録を妨げる。
【００３３】
図4Aは、様々な実施形態による、ワイヤレス通信デバイス(たとえば、図1〜図2中の100)での通話ミュートおよび記録を示す図である。図1、図2、および図4Aを参照すると、第1の通信ユニット120のための着信通話記録タップ402が、Sub1 192上の通話の第1の復号されたオーディオ信号215を記録ユニット185へ伝えるために、第1のデコーダ214と第1の後処理ユニット216との間に位置している。第1の通信ユニット120のための発信通話記録タップ404が、Sub1 192上の通話の第1の前処理されたオーディオ信号213を記録ユニット185へ伝えるために、第1の前処理ユニット218と第1のエンコーダ212との間に位置している。第2の通信ユニット125のための通話記録タップ406、408は、Sub2 197上の通話の第2の復号されたオーディオ信号265および第2の前処理されたオーディオ信号263を記録ユニット185へ伝えるために第2の通信ユニット125の信号チェーンに同様に位置している。
【００３４】
Sub2 197上の通話を接続するために、Sub1 192上の通話が保留にされるとき、制御ユニット110は、第1の後処理ユニット216に、Sub1 192上の通話のための送信/受信ストリームの第1のオーディオ出力信号217を中断させ、それによってSub1 192上の着信通話をミュートしてよい。そのために、Sub1 192通話がユーザに対してミュートされながら、保留にされたSub1 192通話のための第1の復号されたオーディオ信号215は、着信通話記録タップ402を介して記録されることが可能である。
【００３５】
さらに、制御ユニット110は、第1の前処理ユニット218に、Sub1 192上の通話のための送信/受信ストリームの第1のオーディオ入力信号219を中断させ、それによってSub1 192上の発信通話をミュートすることができる。Sub1 192上の通話の第1のオーディオ入力信号219は、第1の前処理ユニット218でミュートされるので、Sub1 192通話がユーザに対してミュートされる間、Sub2 197上の通話からの第2のオーディオ入力信号263は、発信通話記録タップ404を介してSub1 192上の記録されるオーディオと混じることはない。
【００３６】
図4Bは、様々な実施形態による、ワイヤレス通信デバイス(たとえば、図1、図2、および図4A中の100)での通話ミュートおよび記録を実施するために使用されるスイッチを示す図である。図1、図2、および図4Bを参照すると、オーディオ信号は、第1および第2の後処理ユニット216、266の入力および/または出力に、ならびに第1および第2の前処理ユニット218、268の入力および/または出力に配置されたスイッチ410a〜410hを使用することによって中断されてよい。スイッチは、制御ユニット110の制御下で動作するように構成された、たとえば、限定はしないが、機械スイッチ、マイクロ電気機械(MEM)スイッチ、トランジスタまたは他の半導体スイッチなどであってよい。
【００３７】
上記で説明した同様の方法で、第2の通話がSub1上で処理中である間、Sub2上の通話がミュートされ、記録されてよいことは当業者には諒解されよう。
【００３８】
本開示の様々な実施形態によれば、一方の加入上の復号されたオーディオ信号と前処理されたオーディオ信号の両方が、第1のオーディオファイルに記録されてよく、他方の加入上の復号されたオーディオ信号は、第2のオーディオファイルに記録されてよい。たとえば、再び図1、図2、および図4A〜図4Bを参照すると、第1の通信ユニット120におけるSub1 192上の通話の第1の復号されたオーディオ信号215と第1の前処理されたオーディオ信号213の両方が、それぞれ着信および発信通話記録タップ402、404を介して第1のオーディオファイルに記録されてよい。同時に、第2の通信ユニット125における、たとえば、限定はしないが、会議通話またはプレゼンテーションなど、Sub2 197上の保留にされた通話の第2の復号されたオーディオ信号265は、着信通話記録タップ408を介して第2のオーディオファイルに記録されてよい。
【００３９】
Sub2 197上の保留にされた通話は第2の通信ユニット125の第2の後処理ユニット266でミュートされるので、第2の通信ユニット125における第2の復号されたオーディオ信号265は、依然として復号され、記録されることが可能である。さらに、Sub2 197上の通話の第2の前処理されたオーディオ信号263は、第2の通信ユニット125の第2の前処理ユニット268でミュートされ、したがって第1の通信ユニット120におけるSub1 192上の通話でのいかなる会話も、発信通話記録タップ406を介して、第2の通信ユニット125におけるSub2 197上の記録オーディオと混じることはない。
【００４０】
図5は、様々な実施形態による、ワイヤレス通信デバイス(たとえば、図1、図2、および図4A〜図4B中の100)での通話を記録するための方法を示すフローチャートである。図5の方法の説明に関して、「アクティブ通話」は、保留にされていない通話を指す。図1、図2、図4A〜図4B、および図5を参照すると、Sub1 192上のアクティブ通話(505)中に、Sub1 192上の通話が記録されるかどうかに関して決定が行われてよい(510)。Sub1 192上の通話が記録される場合(510-Y)、通話記録オプションに基づいて、Sub1 192上の通話に対して通話記録がアクティブにされてよい(515)。他の場合(510-N)、Sub1 192通話記録はアクティブにされず、Sub2 197上で通話が受信されてよい(520)。
【００４１】
様々な実施形態が、通話記録のための多様なオプションを提供する。通話記録オプションは、デフォルト記録オプションとして設定されてよい。たとえば、通話記録は、アクティブ通話の初めに開始するデフォルトとして設定されてよい、または通話記録は、保留にされた通話に対してデフォルトとして開始されてよい。追加または代替として、通話記録オプションは、入力デバイス172への入力によっていつでも呼び出され、ディスプレイデバイス174上にメニューオプションとして表示されてよい、および/またはSub1 192もしくはSub2 197のいずれかで通話が行われるもしくは受信されるとき、メニューオプションを提示する通話記録メニューが、ディスプレイデバイス174上に自動的に、たとえばポップアップメニューとして表示されてよい。記録オプションを設定するための他のオプションが、本発明の概念の範囲から逸脱することなく可能であることは、当業者には諒解されよう。
【００４２】
Sub1 192上のアクティブ通話中に、Sub2 197上で通話が受信されてよい(520)。説明したように、Sub1 192と関連付けられる第1の通信ユニット120の第1の後処理ユニット216および第1の前処理ユニット218に、ミュートが適用されてよく(525)、Sub2 197上の通話に応答するために、Sub1 192上の通話は保留にされてよい(530)。Sub2 197上の通話は、接続されてよく(535)、Sub2 197上の通話が記録されるかどうかに関して決定が行われてよい(540)。
【００４３】
Sub2 197上の通話もまた記録される場合(540-Y)、追加の通話記録オプションに基づいて、Sub2 197上の通話に対して通話記録がアクティブにされてよい(545)。様々な実施形態では、記録オプションは、Sub1 192およびSub2 197からのオーディオ信号を別個のオーディオファイルとして同時に記録するように設定されてよい。Sub1 192上のアクティブ通話のための着信および発信オーディオ信号は、第1のファイルに記録されてよく、Sub2 197上の保留にされた通話のための着信オーディオ信号のみが、第2のファイルに記録されてよい。様々な実施形態では、Sub1 192およびSub2 197からのオーディオ信号は、たとえば3者間の会話中に、1つのオーディオファイルに記録されてよい。
【００４４】
Sub2 197上の通話が記録されない(540-N)、またはSub2 197上の通話に対して通話記録がアクティブにされる(545)場合、Sub1 192上の通話が保留のままであるかどうかに関して決定が行われてよい(550)。Sub1 192上の通話が保留のままである場合(550-Y)、Sub2 197上のアクティブ通話は、完了され、次いで終了される(555)。他の場合(550-N)、Sub2 197上の通話は保留にされ(560)、アクティブ通話はSub1 192上の通話に切り替えられる(565)。
【００４５】
Sub1 192上の通話がまだ完了していない場合(570-N)、Sub1 192上のアクティブ通話は完了され、次いで終了される(575)。
【００４６】
添付の特許請求の範囲およびそれらの等価物は、保護の範囲および趣旨内に入る形態または変更を含むものとする。たとえば、本明細書で開示する例示的な装置、方法、およびシステムは、複数の通信ネットワークおよび/または通信技術に加入するDSDAおよびマルチSIMワイヤレス通信デバイスに適用されることが可能である。図に示す様々な構成要素は、たとえば、限定はしないが、プロセッサ、ASIC/FPGA/DSP、または専用ハードウェア上にソフトウェアおよび/またはファームウェアとして実装されてよい。また、上記に開示する特定の例示的実施形態の特徴および属性は、異なる方法で組み合わせられて、さらなる実施形態を形成してもよく、それらのすべてが、本開示の範囲内に入る。
【００４７】
本発明の概念は、DSDAワイヤレス通信デバイスの通信ユニットとマルチSIMワイヤレス通信デバイスの複数の通信ユニットの両方における通話をミュートおよび記録することに適用されることは、当業者には諒解されよう。
【００４８】
前述の方法の説明およびプロセスフロー図は、例示的な例として提供されるにすぎず、様々な実施形態のステップが、提示された順序で実施されなければならないことを要求または暗示するものではない。当業者には諒解されるように、前述の実施形態でのステップの順序は、任意の順序で実行されてよい。「その後」、「次いで」、「次に」などの単語は、ステップの順序を限定するものではなく、これらの単語は方法の説明を通して読者を導くために使用されるにすぎない。さらに、特許請求要素に対して単数形で行われるいかなる言及、たとえば冠詞の「1つの(a)」、「1つの(an)」または「その(the)」は、その要素を単数に限定するものとして解釈すべきではない。
【００４９】
本明細書で開示する実施形態に関して説明する様々な例示的な論理ブロック、モジュール、回路、およびアルゴリズムステップは、電子ハードウェア、コンピュータソフトウェア、またはその両方の組合せとして実装される場合がある。ハードウェアとソフトウェアのこの互換性を明確に示すために、様々な例示的な構成要素、ブロック、モジュール、回路、およびステップが、一般にそれらの機能に関して上述された。そのような機能がハードウェアとして実現されるか、ソフトウェアとして実現されるかは、特定の用途およびシステム全体に課せられる設計制約によって決まる。当業者は、説明した機能を特定の適用例ごとに様々な方法で実装してもよいが、そのような実装の決定は、本発明の範囲からの逸脱を引き起こすものと解釈されるべきではない。
【００５０】
本明細書において開示された態様に関して記載された様々な例示的な論理、論理ブロック、モジュール、および回路を実装するために使用されるハードウェアは、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本明細書に記載された機能を実行するように設計されたそれらの任意の組合せを用いて実装または実施される場合がある。汎用プロセッサはマイクロプロセッサであってもよいが、代替として、プロセッサは、任意の従来型プロセッサ、コントローラ、マイクロコントローラ、またはステートマシンであってもよい。プロセッサは、たとえばDSPとマイクロプロセッサの組合せ、複数のマイクロプロセッサ、DSPコアと連結した1つまたは複数のマイクロプロセッサ、または任意の他のこのような構成など、受信機デバイスの組合せとしても実装されてよい。あるいは、いくつかのステップまたは方法は、所与の機能に固有の回路によって実行されてもよい。
【００５１】
1つまたは複数の例示的な態様では、説明される機能は、ハードウェア、ソフトウェア、ファームウェア、またはそれらの任意の組合せにおいて実装することができる。ソフトウェアで実装される場合、機能は、非一時的コンピュータ可読記憶媒体または非一時的プロセッサ可読記憶媒体上に1つまたは複数の命令またはコードとして記憶されてもよい。本明細書で開示された方法またはアルゴリズムのステップは、非一時的コンピュータ可読またはプロセッサ可読記憶媒体上に常駐することができるプロセッサ実行可能命令において具体化されてもよい。非一時的なコンピュータ可読記憶媒体またはプロセッサ可読記憶媒体は、コンピュータまたはプロセッサによってアクセスされる場合がある任意の記憶媒体であってよい。限定ではなく例として、そのような非一時的コンピュータ可読記憶媒体または非一時的プロセッサ可読記憶媒体は、RAM、ROM、EEPROM、フラッシュメモリ、CD-ROMもしくは他の光ディスク(disc)記憶装置、磁気ディスク(disk)記憶装置もしくは他の磁気記憶デバイス、あるいは命令もしくはデータ構造の形で所望のプログラムコードを記憶するのに使用でき、コンピュータによってアクセスできる任意の他の媒体を含んでもよい。本明細書で使用される場合、ディスク(disk)およびディスク(disc)は、コンパクトディスク(CD)、レーザーディスク(登録商標)、光ディスク、デジタル多用途ディスク(DVD)、フロッピー(登録商標)ディスク、およびブルーレイディスクを含み、ディスク(disk)は、通常、磁気的にデータを再生し、ディスク(disc)は、レーザーで光学的にデータを再生する。上記の組合せも、非一時的コンピュータ可読媒体およびプロセッサ可読媒体の範囲内に含まれる。さらに、方法またはアルゴリズムの動作は、コードおよび/または命令の1つまたは任意の組合せまたはセットとして非一時的プロセッサ可読記憶媒体および/またはコンピュータ可読記憶媒体上に常駐してよく、非一時的プロセッサ可読記憶媒体および/またはコンピュータ可読記憶媒体はコンピュータプログラム製品に組み込まれてもよい。
【００５２】
本開示は、いくつかの例示的な実施形態および適用例を提供するが、本明細書に記載する特徴および利点のすべてを提供するとは限らない実施形態など、当業者には明らかである他の実施形態もまた、本開示の範囲内である。したがって、本開示の範囲は、添付の特許請求の範囲を参照することによってのみ定義されるものとする。
【符号の説明】
【００５３】
100  ワイヤレス通信デバイス
110  制御ユニット
120  第1の通信ユニット
125  第2の通信ユニット
130  第1のアンテナ
135  第2のアンテナ
140  第1のSIM
150  第2のSIM
160  音響再生デバイス
165  オーディオ入力トランスデューサ
170  ユーザインターフェースデバイス
172  入力デバイス
174  ディスプレイデバイス
180  ストレージ
185  記録ユニット
190  第1の通信ネットワーク
192  第1の加入
195  第2の通信ネットワーク
197  第2の加入
200  第1のトランシーバ
210  第1のモデム
212  第1のエンコーダ
213  第1の前処理されたオーディオ信号
214  第1のデコーダ
216  第1の後処理ユニット
217  第1のオーディオ出力信号
218  第1の前処理ユニット
219  第1のオーディオ入力信号
250  第2のトランシーバ
260  第2のモデム
262  第2のエンコーダ
263  第2の前処理されたオーディオ信号
264  第2のデコーダ
266  第2の後処理ユニット
267  第2のオーディオ出力信号
268  第2の前処理ユニット
269  第2のオーディオ入力信号
300  従来のDSDAワイヤレス通信デバイス
302  着信通話記録タップ
304  発信通話記録タップ
306  発信通話記録タップ
308  着信通話記録タップ
312  第1のエンコーダ
314  第1のデコーダ
316  第1の後処理ユニット
318  第1の前処理ユニット
320  第1の通信ユニット
325  第2の通信ユニット
402  着信通話記録タップ
404  発信通話記録タップ
406  発信通話記録タップ
408  着信通話記録タップ
410  スイッチ
【図１】
0006499202.tif 000002
【図２】
0006499202.tif 000003
【図３】
0006499202.tif 000004
【図４Ａ】
0006499202.tif 000005
【図４Ｂ】
0006499202.tif 000006
【図５】
0006499202.tif 000007